(57)【要約】【課題】  不溶性の粉体を含む内溶液が収容されている場合でも、安定した状態で多量に発生するガスを排除できるキャップ付き容器を提供する。【解決手段】  ガスを発生する収容物を収容する容器本体１１と、容器本体１１の口首部１２に装着されるキャップ１３とを含み、キャップ１３に圧力開放機構１４が設けられたキャップ付き容器１０であって、圧力開放機構１４は、キャップ１２の天面部１５に開口形成された通気孔１６と、通気孔１６を外側から覆ってこれの外周の環状接着部１９に気密且つ剥離可能な状態で接着された接着層１７ａを含む剥離膜１７とからなり、収容物から発生するガスにより容器本体１１の内圧が設定圧力Ｐ１よりも高くなった際に、剥離膜１７を剥離又は破断させて圧力を開放する。【選択図】      図２
2005335801.tif 000002
【特許請求の範囲】
【請求項１】
ガスを発生する収容物を収容する容器本体と、該容器本体の口首部に装着されるキャップとを含み、該キャップに圧力開放機構が設けられたキャップ付き容器であって、
前記圧力開放機構は、前記キャップの天面部に開口形成された通気孔と、該通気孔を外側から覆ってこれの外周の環状接着部に気密且つ剥離可能な状態で環状に接着された接着層を含む剥離膜とからなり、前記収容物から発生するガスにより前記容器本体の内圧が設定圧力よりも高くなった際に、前記剥離膜を剥離又は破断させて圧力を開放するキャップ付き容器。
【請求項２】
前記通気孔は、前記キャップの天面部に設けられた凹部に開口形成されていると共に、前記剥離膜は、前記凹部において前記環状接着部に接着されている請求項１記載のキャップ付き容器。
【請求項３】
前記凹部の上端開口を覆って、排気孔を有する蓋材が取り付けられている請求項３記載のキャップ付き容器。
【請求項４】
前記通気孔の外周の環状接着部の外方には、当該環状接着部と間隔をおいて配置された環状壁が、一重又は二重以上に設けられており、該環状壁には、これの内側と外側とを連通する切欠きが形成され、前記剥離膜は、前記通気孔を覆うと共に前記環状接着部から前記環状壁の上端に跨って接着される請求項１〜３のいずれかに記載のキャップ付き容器。
【請求項５】
前記剥離膜は、平面形状が内側に凸となった応力集中部を備える環状線に沿って、前記環状接着部に環状に接着される請求項１〜４のいずれかに記載のキャップ付き容器。
【請求項６】
前記剥離膜は、基層と接着層とを含む積層構造を備えており、前記基層には、破断誘導切込みが形成されている請求項１〜５のいずれかに記載のキャップ付き容器。
【請求項７】
前記剥離膜は、前記環状接着部の上面に設けられた環状凸リブに接着されて、前記環状接着部に接着されている請求項１〜６のいずれかに記載のキャップ付き容器。
【請求項８】
請求項１〜７のいずれかに記載のキャップ付き容器にガスを発生する収容物を収容したキャップ付き容器製品。
【請求項９】
前記ガスを発生する収容物は毛髪化粧料である請求項８記載のキャップ付き容器製品。
【発明の詳細な説明】
【技術分野】
【０００１】
本発明は、ガスを発生する収容物を収容するキャップ付き容器及びキャップ付き容器製品に関する。
【背景技術】
【０００２】
例えば化粧品、薬品、塗料、食品等を収容する容器は、首部にキャップを装着して収容物を内部に封入した際に、収容物から発生するガスによって容器が膨張し、容器を変形させたりする場合がある。発生したガスの圧力による容器の変形を防止するためには、キャップ等にガス抜き機構を設けて発生したガスを排除することが必要であるが、ガスを通過させるだけでなく、内部の圧力が所定の圧力以下のときは収容物の流出を防止できるような機構のものでなければ、流通時や容器を転倒させた際などに、収容物が漏れ出てしまう場合がある。
【０００３】
このため、収容物の流出を防止しつつ発生するガスを排除できるようにしたキャップ付き容器が種々開発されている（例えば、特許文献１参照）。特許文献１に記載の容器は、キャップの上部中央にガス通過孔を設けると共に、パッキン状のガス抜き機構を容器本体の口首部の上端開口を覆って内側に挟み込みつつキャップを首部に装着してなるものである。そして、ガス抜き機構は、環状のスペーサを挟んで積層された上面側の通気性シートと下面側の弾性フィルムによる弁体とを備え、通気性シートを介してガスを排除でき、弁体によって内容物の流出を阻止するものである。
【０００４】
一方、例えば２液タイプの染毛剤のように、混合後に比較的短時間に多量のガスを発生する内溶液を収容した場合、上述の特許文献１に記載のキャップ付き容器では、発生したガスを弁体及び通気性シートを介してスムーズに排除することが困難であり、容器の内圧が過度に高まることになるといった問題があることから、このような多量に発生するガスを効果的に排除できるようにしたキャップ付き容器も開発されている（例えば、特許文献２、特許文献３参照）。
【特許文献１】特開平５−２７０５５９号公報
【特許文献２】特開２００２−１１４２５３号公報
【特許文献３】特開２００３−２４６３４２号公報
【発明の開示】
【発明が解決しようとする課題】
【０００５】
特許文献２や特許文献３に記載のキャップ付き容器によれば、多量に発生するガスを効果的に排除することが可能になるが、さらに安定した状態で多量のガスをスムーズに排除できるキャップ付き容器の開発が要望されている。特に、容器の内部に不溶性の粉体を含む内溶液が収容されている場合又は不溶性の粉体を混合して収容されている場合には、ガスや内溶液と共に不溶性の粉体が排出されることになるため、これらの粉体によって排気路に目詰まりが生じないようにしながら確実且つ安定した状態で発生したガスを排除できるようにすることが好ましい。
【０００６】
本発明は、さらに安定した状態で多量に発生するガスをスムーズに排除できると共に、容器の内部に不溶性の粉体を含む内溶液が収容されている場合でも、排気路の目詰まりを回避しつつ確実且つ安定した状態で発生したガスを排除することのできるキャップ付き容器及びキャップ付き容器製品を提供することを目的とする。
【課題を解決するための手段】
【０００７】
本発明は、ガスを発生する収容物を収容する容器本体と、該容器本体の口首部に装着されるキャップとを含み、該キャップに圧力開放機構が設けられたキャップ付き容器であって、前記圧力開放機構は、前記キャップの天面部に開口形成された通気孔と該通気孔を外側から覆ってこれの外周の環状接着部に気密且つ剥離可能な状態で環状に接着された接着層を含む剥離膜とからなり、前記収容物から発生するガスにより前記容器本体の内圧が設定圧力よりも高くなった際に前記剥離膜を剥離又は破断させて圧力を開放するキャップ付き容器を提供することにより、上記目的を達成したものである。ここで環状接着部あるいは環状に接着された接着層は円形でなくとも、通気孔を囲む閉じた図形であってそこに接着された剥離膜が通気孔を外から覆うものであれば、例えば楕円や方形でも良い。
【０００８】
また、本発明は、上記キャップ付き容器にガスを発生する収容物を収容したキャップ付き容器製品を提供することにより、上記目的を達成したものである。
【０００９】
ここで、本発明において、容器本体の内圧によって前記剥離膜を剥離又は破断させる設定圧力とは、例えば０．３〜０．５ＭＰａ（3〜5ｋｇｆ／ｃｍ2）の内圧強度を備える容器本体が破損する前に、内部の圧力が効果的に開放されるように、ガスの発生速度等を鑑みて、当該内圧強度よりも小さな圧力の範囲で適宜設計される圧力である。
【発明の効果】
【００１０】
本発明のキャップ付き容器及びキャップ付き容器製品によれば、さらに安定した状態で多量に発生するガスをスムーズに排除できると共に、容器の内部に不溶性の粉体を含む内溶液が収容されている場合でも、排気路の目詰まりを回避しつつ発生したガスを確実且つ安定した排除することができる。
【発明を実施するための最良の形態】
【００１１】
本発明の好ましい第１実施形態に係るキャップ付き容器１０は、図１に示すように、例えば円筒ボトル形状の容器本体１１と、この容器本体１１の口首部１２に螺合装着されるキャップ１３とからなり、その内部には、ガスを発生する収容物として、例えば第１剤と第２剤と第３剤として粉末補助剤とを混合してなる、毛髪化粧料である発泡状態の染毛剤が、混合液として収容されている。染毛剤は、例えば過酸化水素を含む酸性の第２剤が収容された容器本体１１からキャップ１３を取り外し、反応を促進させる第３剤の粉末補助剤を混合した後、別の容器に収容されたアルカリ剤である第１剤を投入して混合することにより形成される３剤式のものである。またこの染毛剤は、粉末補助剤が混合されることにより、不溶性粉体を含むこととなる。このような染毛剤は、容器本体１１に第１剤や第３剤の粉末補助剤を投入し、キャップ１３を締め直して第２剤と混合した後、キャップ１３を取り外して速やかに使用されることが望ましいが、たとえキャップ１３が装着されたまま長時間が経過しても、染毛剤から発生した多量のガスによる過度の圧力によって容器本体１１が膨張したり変形したりするのを効果的に回避するため、その容器として本第１実施形態のキャップ付き容器１０が開発された。
【００１２】
本第１実施形態のキャップ付き容器１０は、ガスを発生する収容物として、例えば第１剤と第２剤と第３剤である粉末補助剤との混合液である染毛剤を収容する容器本体１１と、この容器本体１１の口首部１２に装着されるキャップ１３とを含み、キャップ１３に圧力開放機構１４が設けられている。キャップ１３に設けられた圧力開放機構１４は、図２（ａ）及び（ｂ）にも示すように、キャップ１３の天面部１５に開口形成された通気孔１６と、この通気孔１６を外側から覆ってこれの外周の環状接着部１９に気密且つ剥離可能な状態で環状に接着された、接着層１７ａ（図５（ａ），（ｂ）参照）を含む剥離膜１７とからなり、染毛剤から発生するガスにより、容器本体１１の内圧が設定圧力として例えば０．１ＭＰａ（１ｋｇｆ／ｃｍ2）の圧力よりも高くなった際に、剥離膜１７を剥離又は破断させて圧力を開放するように構成されている。
【００１３】
また、本第１実施形態では、通気孔１６は、キャップ１３の天面部１５に設けられた凹部１８に開口形成されていると共に、剥離膜１７は、この凹部１８において環状接着部１９に環状に接着されている。さらに、本第１実施形態では、凹部１８の上端開口を覆って、排気孔２０ａを有する蓋材２０が取り付けられている。
【００１４】
本第１実施形態のキャップ付き容器１０を構成する容器本体１１は、例えば高密度ポリエチレンや低密度ポリエチレンからなる直径が例えば３０〜６０ｍｍの円筒ないしは楕円ボトル形状のプラスチック容器であって、例えば１００〜２００ｍｌの容量を有している。また、容器本体１１は、例えば０．３〜０．５ＭＰａの内圧強度を備えると共に、これの上端部分に、外周面に雄ネジ突条が形成された口首部１２が上方に突出して設けられており、この口首部１２を覆うようにして、キャップ１３が螺合装着される（図１参照）。
【００１５】
さらに、本第１実施形態では、容器本体１１の胴部２１を覆って、内圧による胴部２１の変形に追随するラベルとして例えばストレッチラベル２２が装着されている。ストレッチラベル２２は、例えば厚さが４０〜８０μｍの低密度ポリエチレンからなり、筒状に連続したラベルとして、胴部２１に密着して取り付けられる。またストレッチラベル２２は、低密度ポリエチレンの薄膜からなるので、例えば肉厚１００〜５００μｍの高密度ポリエチレンや低密度ポリエチレンからなる容器本体１１と比較して延伸率が高くなっており、胴部２１の変形にスムーズに追随することが可能になる。これによって、ガスの発生により容器本体１１の内圧が上昇し、胴部２１に亀裂等が生じて液洩れが生じても、液洩れした混合液を胴部２１の外周面とストレッチラベル２２との間の隙間から逃がすこととなるので、生じた亀裂等から混合液が噴出するのを効果的に回避することが可能になる。
【００１６】
容器本体１１と共に本第１実施形態のキャップ付き容器１０を構成するキャップ１３は、図２（ａ）及び（ｂ）に示すように、例えば射出成形によるプラスチック成形品であって、中央部分が凹部１８として陥没した円盤形状の天面部１５と、この天面部１５の外周縁部からスカート状に連続して下方に延設する外周壁２３とからなる。外周壁２３の内周面には雌ネジ突条が形成されており、これを容器本体１１の口首部１２の雄ネジ突条に螺合することにより、キャップ１３は、混合液である染毛剤を容器本体１１の内部に封入した状態で、口首部１２の上端開口を覆って着脱可能に装着される。
【００１７】
また、本第１実施形態では、キャップ１３の天面部１５に設けられる凹部１８は、天面部１５の中央部分に円形に開口形成された上端開口の開口縁部から下方に連続してＬ字断面形状の内周壁２４を延設配置することにより当該内周壁２４によって周囲を囲まれる凹部１８として陥没形成されている。この凹部１８の底面には、Ｌ字断面形状の内周壁２４の底辺部２４ａにより周囲を囲まれて、円形の通気孔１６が開口形成されると共に、通気孔１６の外周に位置する内周壁２４の底辺部２４ａの上面に剥離膜１７が接着されることで、環状接着部１９が形成される。
【００１８】
さらに、本第１実施形態では、凹部１８の底面すなわち内周壁２４の底辺部２４ａの上面には、通気孔１６の外周部分に環状凸リブ２５が突出して設けられている。この環状凸リブ２５に剥離膜１７の接着層１７ａが気密に接着されることにより、剥離膜１７が環状接着部１９において接着される。環状凸リブ２５は、図３に示すように、平面形状が内側に三角形状に凸となった応力集中部２５ａを備える略円形に形成されており、この環状凸リブ２５による環状線２６に沿って、接着層１７ａを例えばヒートシールすることにより、剥離膜１７が環状接着部１９において所定の接着力で接着されることになる。ここで環状凸リブ２５は必ずしも円形でなくとも、楕円、方形そのほか環状接着部１９が通気孔１６を囲む閉じた図形となるように設けられていれば良い。
【００１９】
さらにまた、本第１実施形態では、排気孔２０ａを有する蓋材２０が、環状接着部１９に接着された剥離膜１７との間に間隔を保持しつつ、その上面がキャップ１３の天面部１５と略面一になるように凹部１８の上端開口を覆って取り付けられると共に、天面部１５の下面には、内周壁２４の外方に同心状に配置されて、容器本体１１の口首部１２の上端内周面に密着配置されるインナーリング２７が下方に突出して設けられている。
【００２０】
なお、本第１実施形態では、通気孔１６の開口形状は、円形である必要は必ずしもなく、また応力集中部２５ａを備える環状線２６の形状は、応力集中部２５ａが三角形状となった略円形である必要は必ずしもない。例えば図４（ａ）〜（ｃ）に示すような、種々の形状を選択して採用することができる。
【００２１】
そして、本第１実施形態では、通気孔１６と共に圧力開放機構１４を構成する剥離膜１７は、例えば図５（ａ）及び（ｂ）に示すように、例えば基層１７ｂと接着層１７ａとを含む積層構造を備えたフィルム材料を円形に切り抜いて形成される。ここで、基層１７ｂとしては、好ましくはガスバリア性に優れると共に、熱融着させるための接着層１７ａよりも融点の高いフィルム材料を用いることができ、例えばＯＮｙ（二軸延伸ナイロン）、ＰＥＴ（ポリエチレンテレフタレート）などの合成樹脂、アルミ箔等の金属箔や紙等を用いることができる。また基層１７ｂと接着層１７ａの他、ガスバリア性の良好なＥＶＯＨ（エチレン-酢酸ビニル共重合体鹸化物）層を含んだ多層構造とすることもできる。
【００２２】
本第１実施形態では、接着層１７ａは、好ましくはイージーピール性を有するシーラント層とすることができる。ここで、イージーピール性を有するシーラント層は、一般的にシール強度が３００〜１８００ｇ／１５ｍｍ幅以下であるヒートシール層である。このようなシーラント層として用いるフィルム材料として、例えばポリエチレン、ポリプロピレン等のポリオレフィンを主原料とするイージーピールフィルムを選択することで、キャップ１３を構成するポリプロピレンやポリエチレンとのヒートシール適性を確保できる。より具体的には、例えば商品名「ＣＭＰＳ０１３Ｃや同００８Ｃ」（東セロ社製）を用いることができる。
【００２３】
また、本第１実施形態では、接着層１７ａと共に剥離膜１７を形成する基層１７ｂには、当該基層１７ｂを必要に応じて積極的に破断させるための破断誘導切込み２８が、例えばミシン目加工やスコア加工等による強度低減加工を施すことによって形成されている。なお、本第１実施形態の剥離膜１７の基層１７ｂに形成される破断誘導切込み２８は、例えば図６（ａ）〜（ｅ）に示される形状に設けることができる。
【００２４】
そして、上述の構成を備える本第１実施形態のキャップ付き容器１０によれば、容器本体１１に第２剤が収容されて製品化された状態や容器本体１１の内部で第１剤と第２剤と第３剤の粉末補助剤とが混合されて染毛剤からガスが発生した後でも、容器本体１１の内圧が予め設定された例えば０．１ＭＰａ（１ｋｇｆ／ｃｍ2）の内圧に未だ到っていない状態であれば、図２（ａ）に示すように剥離膜１７が環状接着部１９において通気孔１６の外周に気密に接着されていることにより第２剤や混合した染毛剤を外部に漏出させず、これらを容器本体１１の内部に封入した状態を維持する。
【００２５】
ここで、本第１実施形態では、通気孔１６の外周の環状接着部１９に剥離膜１７を気密に接着させた排気路２９の閉塞状態から、剥離膜１７を剥離又は破断させて排気路１９を開放する際の容器本体１１の内圧の設定圧力をＰ１（本第１実施形態では０．１ＭＰａ）とし、このような内圧Ｐ１を受ける通気孔１６を覆った部分の剥離膜１７の有効面積をＳとした場合、剥離膜１７の環状接着部１９における環状線２６に沿った接着力をＦとして、Ｆ≧Ｐ１×Ｓとなるように、接着力Ｆが設定されている。また、容器本体１１の内圧強度をＰ２とした場合、Ｆ＜Ｐ２×Ｓとなるように接着力Ｆが設定されている。さらに、破断誘導切込み２８が設けられた剥離膜１７の破断強度をＦ’として、Ｆ’＜Ｐ２×Ｓとなるように剥離膜１７に対する強度低減加工が施されている。
【００２６】
そして、本第１実施形態のキャップ付き容器１０によれば、発生したガスを安定した状態で排除することが可能になる。すなわち、内部に収容した混合液である染毛剤から発生するガスによって容器本体１１の内圧が上昇し、排気路１９を開放する設定圧力Ｐ１に至ると、図２（ｂ）に示すように、剥離膜１７を環状接着部１９から剥離させようとする応力が特に応力集中部２５ａおいて集中し、この引剥し応力によって環状接着部１９から剥離膜１７が剥離することにより、この剥離部分を経た排気路２９が効果的に形成される。ここで、本第１実施形態によれば、設定圧力Ｐ１以上となる容器本体１１の内圧の上昇量に応じて、相当の大きさの剥離部分が環状接着部１９に生じることになり、これによって大きな開口面積の排気路２９が環状接着部１９に確保されるので、多量に発生するガスを安定した状態でスムーズに排除できると共に、染毛剤に不溶性粉体が含まれていても、排気路２９の目詰まりを回避でき確実且つ安定した状態で発生するガスを排除することが可能になる。
【００２７】
また、本第１実施形態によれば、通気孔１６は、キャップ１３の天面部１５に設けられた凹部１８に開口形成されていると共に、剥離膜１７は、凹部１８において底辺部２４ａの上面にある環状接着部１９に接着されているので、環状接着部１９における剥離部分を通過して排出される不溶性粉体を含んだガスは、凹部１８の内壁面である内周壁２４の内周面に一旦衝突してから外部に排除される。このように構成されるので、排出されるガスと共に染毛剤や不溶性粉体が広範囲に飛散するのを効果的に阻止することが可能になると共に、剥離膜１７を効果的に防護することも可能になる。
【００２８】
さらに、本第１実施形態によれば、凹部１８の上端開口を覆って、排気孔２０ａを有する蓋材２０が取り付けられているので、排気孔２０ａからスムーズにガス等を排除しつつ、染毛剤や不溶性粉体の飛散をさらに効果的に阻止することが可能になると共に、特に蓋材２０の上面１をキャップ１３の天面部１５と略同一面となるように設けたことにより、容器１０の取り扱い易さと美感を向上させている。
【００２９】
さらにまた、本第１実施形態によれば、剥離膜１７は、環状接着部１９の上面に設けられた環状凸リブ２５に接着された状態で環状接着部１９に接着されているので、内周壁２４の底辺部２４ａから浮いた状態で剥離膜１７が保持され、かつ剥離膜１７とヒートシールされる環状凸リブ２５の幅を狭く設定できるため、設定圧力Ｐ１以上の内圧が負荷された際に、環状接着部１９における剥離膜１７の剥離部分に排気路２９を容易且つ精度良く形成することが可能になる。
【００３０】
そして、本第１実施形態によれば、剥離膜１７の基層１７ｂに破断誘導切込み２８が設けられているので、容器本体１１の内圧が設定圧力Ｐ１以上となっても未だ剥離膜１７が環状接着部１９から剥離しない場合、当該内圧の作用によって破断誘導切込み２８を介して剥離膜１７自体をスムーズに破断させることができ、破断した剥離膜１７から圧力を開放させることにより、容器１０の破損を効果的に回避することが可能になる。
【００３１】
図７（ａ），（ｂ）は、本発明の第２実施形態に係るキャップ付き容器に取り付けられるキャップ３０を示すものである。本第２実施形態では、キャップ３０の天面部３１の中央部分に通気孔３２が円形に開口形成されると共に、通気孔３２の開口周縁部の細幅帯状部分が環状接着部３３となっていて、この環状接着部３３の上面に環状凸リブ３４が設けられている。そして、通気孔３２の外周にある環状接着部３３の外方には、当該環状接着部３３と間隔をおいて配置された内側環状壁３５と外側環状壁３６とが二重に設けられている。またこれらの環状壁３５，３６には、各々の環状壁３５，３６の内側と外側とを連通する切欠き３５ａ，３６ａが形成され、剥離膜３７は、通気孔３２を覆うと共に環状接着部３３から内側環状壁３５及び外側環状壁３６の上端に跨って接着されている。
【００３２】
本第２実施形態では、環状接着部３３、内側環状壁３５、及び外側環状壁３６は、インナーリングの内側において、天面部３１から一段下がった下段プレート部３８の上面に配置されると共に、これらの上端面が例えば天面部３１から剥離膜３７の厚さ分以上に低くなるように設けられている。そして、環状接着部３３、内側環状壁３５、及び外側環状壁３６の上端面を一体として覆うようにして、上記第１実施形態の剥離膜１７と同様の構成を有する剥離膜３７が、例えばヒートシールによって所定の接着強度で接着されている。
【００３３】
また、本第２実施形態では、内側環状壁３５と外側環状壁３６には、各一対の切欠き３５ａ，３６ａが、各々１８０度ずれた対向する位置に設けられると共に、内側環状壁３５の切欠き３５ａと外側環状壁３６の切欠き３６ａとは、周方向に９０度ずれた位置に設けられている。
【００３４】
そして、本第２実施形態のキャップ３０は、上記第１実施形態と同様に容器本体１１の口首部１２に装着して用いられ、容器本体の内圧が設定圧力Ｐ１に至る前には、図７（ａ）に示すように、剥離膜３７が環状接着部３３において通気孔３２の外周に気密に接着されていることにより、通気孔３２を通過する排気路３９（図７（ｂ）参照）が形成されることなく閉塞状態が保持されている。これにより、第２剤や染毛剤を外部に漏出させないように容器本体１１の内部に強固に封入してある。内部に収容した染毛剤から発生するガスによって容器本体１１の内圧が上昇し、排気路３９を開放する設定圧力Ｐ１に至ると、図７（ｂ）に示すように、環状接着部３３から剥離膜３７が剥離することにより、剥離部分を経た排気路３９が効果的に形成され、上記第１実施形態と同様の作用効果を奏することになる。
【００３５】
さらに、本第２実施形態によれば、剥離膜３７は、通気孔３２を覆うと共に環状接着部３３から内側環状壁３５及び外側環状壁３６に跨って接着されているので、剥離膜３７によって覆われた下方において、剥離部分から排出されたガス等を切欠き３５ａ，３６ａを経た排気路３９を介して排気することにより、染毛剤や不溶性粉体の飛散を効果的に阻止することが可能になる。特に、本第２実施形態によれば、内側環状壁３５の切欠き３５ａと外側環状壁３６の切欠き３６ａとは、周方向に９０度ずれた位置に設けられており、剥離膜３７の応力集中部４０による剥離部分もまた、内側環状壁３５の切欠き３５ａと周方向に９０度ずれた位置に設けられているので、剥離部分から排出されたガス等は曲折した複雑な経路の排気路３９を介して外側環状壁３６の切欠き３６ａから排出されることになり、これによってさらに効果的に染毛剤や不溶性粉体の飛散を阻止することが可能になる。
【００３６】
なお、本発明は上記各実施形態に限定されることなく種々の変更が可能である。例えば、通気孔をキャップの天面部に設けた凹部に開口形成する必要は必ずしもなく、凹部の上端開口を覆って蓋材を取り付ける必要は必ずしもない。また、平面形状が内側に凸となった応力集中部を備える環状線に沿って剥離膜を環状接着部に接着する必要は必ずしもなく、剥離膜を積層構造としたり、剥離膜の基層に破断誘導切込みを形成したりする必要は必ずしもない。さらに、環状接着部の上面に環状凸リブを設ける必要は必ずしもない。さらに、本発明のキャップ付き容器は、３剤式の染毛剤以外のその他の毛髪化粧料を収容して製品化することができる他、毛髪化粧料以外のガスを発生する収容物を収容する容器としても用いることもできる。
【図面の簡単な説明】
【００３７】
【図１】本発明の第１実施形態に係るキャップ付き容器の部分破断側面図である。
【図２】（ａ）は、本発明の第１実施形態に係るキャップ付き容器に装着されるキャップの排気路を閉塞した状態の断面図、（ｂ）は、同排気路を開放した状態の断面図である。
【図３】図２（ａ）のＡ−Ａに沿った断面図である。
【図４】（ａ）〜（ｃ）は、通気孔及び剥離膜が接着される環状線の形状を例示する略示平面図である。
【図５】（ａ）及び（ｂ）は、剥離膜の構成を説明する部分斜視図である。
【図６】（ａ）〜（ｅ）は、剥離膜の基層に形成される破断誘導切込みの形状を例示する略示平面図である。
【図７】（ａ）は、本発明の第２実施形態に係るキャップ付き容器に装着されるキャップの排気路を閉塞した状態の断面図、及び剥離膜を透視した上面図、（ｂ）は、同排気路を開放した状態の断面図、及び剥離膜を透視した上面図である。
【符号の説明】
【００３８】
１０  キャップ付き容器
１１  容器本体
１２  容器本体の口首部
１３，３０  キャップ
１４  圧力開放機構
１５，３１  キャップの天面部
１６，３２  通気孔
１７，３７  剥離膜
１７ａ  接着層
１７ｂ  基層
１８  凹部
１９，３３  環状接着部
２０  蓋材
２０ａ  排気孔
２４  内周壁
２４ａ  Ｌ字断面形状の内周壁の底辺部
２５，３４  環状凸リブ
２５ａ，４０  応力集中部
２６  環状線
２８  破断誘導切込み
２９，３９  排気路
３５  内側環状壁
３６  外側環状壁
３５ａ，３６ａ  切欠き
３８  下段プレート部
【図１】
2005335801.tif 000003
【図２】
2005335801.tif 000004
【図３】
2005335801.tif 000005
【図４】
2005335801.tif 000006
【図５】
2005335801.tif 000007
【図６】
2005335801.tif 000008
【図７】
2005335801.tif 000009